(57)【要約】【課題】建築物の外壁、内壁、天井、床面等に新規な模様を形成したり、あるいはそれらの部位に用いられる建材表面に模様を形成する為のローラ及びそのローラを用いた模様の形成方法に関する。【解決手段】模様付けローラにあっては、円柱状基面とこの基面表面の紐巻き層からなることを特徴とする。あるいは、円柱状基面とこの基面表面に密実に巻き付けた密紐巻き層、及びまばらに巻いた粗紐巻き層からなる。紐巻き層に利用される紐が耐水性、耐油性を有する。密紐巻き層の素材と粗紐巻き層の素材が異なる。【選択図】図１
2008119581.tif 000002
【特許請求の範囲】
【請求項１】
円柱状基面とこの基面表面の紐巻き層からなることを特徴とする模様付けローラ。
【請求項２】
円柱状基面とこの基面表面に密実に巻き付けた密紐巻き層、及びまばらに巻いた粗紐巻き層からなることを特徴とする請求項１記載の模様付けローラ。
【請求項３】
紐巻き層に利用される紐が耐水性、耐油性を有することを特徴とする請求項１又は請求項２に記載の模様付けローラ。
【請求項４】
密紐巻き層の素材と粗紐巻き層の素材が異なることを特徴とする請求項２ないし請求項３のいずれかに記載の模様付けローラ。
【請求項５】
紐の端部にこぶを作り円柱状基面に設けた溝に固定したことを特徴とする請求項１ないし請求項４のいずれかに記載の模様付けローラ。
【請求項６】
紐巻き層において紐の両端を紐巻き層の表面側にて結び合わせ固定したものであることを特徴とする請求項１ないし請求項４のいずれかに記載の模様付けローラ。
【請求項７】
円柱状基面表面を多孔質材料により形成したことを特徴とする請求項１ないし請求項６のいずれかに記載の模様付けローラ。
【請求項８】
被塗付面に対し、請求項１ないし請求項７のいずれかの項に記載の模様付けローラにおける粗紐巻き層の紐の径１／４以上となる塗材を塗り付け、前記模様付けローラを用いて表面を押さえ、紐巻きによる縄文を形成することを特徴とする模様の形成方法。
【請求項９】
塗材表面を押さえるに際し、模様付けローラ表面に離型性を向上させる液体を浸して使用することを特徴とする請求項８記載の模様の形成方法。
【発明の詳細な説明】
【技術分野】
【０００１】
本発明は、建築物の外壁、内壁、天井、床面等に新規な模様を形成したり、あるいはそれらの部位に用いられる建材表面に模様を形成する為のローラ及びそのローラを用いた模様の形成方法に関するものである。
【背景技術】
【０００２】
建築物の外壁、内壁、天井、床面等に凹凸のある模様を塗材を用いて直接形成するための方法が、種々提案され、また実施されている。それ等の方法を大別すると、塗装（吹き付けを含む）により模様を形成するもの、ローラを用いて模様を形成するもの、鏝を用いて模様を形成するもの、これらの複合によるものがある。なお、文献によっては、模様形成部分となるローラとその他の部分である取手、ローラの支持軸等を含めて、単にローラと称する場合もある。
【０００３】
これら模様の形成方法のうち、ローラを用いた塗装方法のうち、模様形成に関する発明では、例えば本件出願人による特開２００２−３１７５５１号公報に示される技術がある。また、模様形成とは別に平滑な塗装を行うため、繊維製品のうち編み物を用いたローラブラシの発明に特開２００２−１１２８３８号公報に示される技術があった。
【０００４】
特許文献１として示す、特開２００２−３１７５５１号公報では。先に被塗装面に塗材を塗り付けておき、その塗材が未乾燥状態にある間に、ローラ表面に形成された平行な凸条を押さえつけることにより、押さえつけた部分と押さえ前の表面模様の二つを活かすものであった。
【特許文献１】特開２００２−３１７５５１号公報（特許請求の範囲、図面）
【０００５】
また、特許文献２として示す、特開２００２−１１２８３８号公報では、超極細繊維とノーマル繊維を利用した編み物によるローラブラシであった。この発明では、塗料を均一に塗布、平滑に仕上げるためのものであり、ローラブラシにより模様を形成するものでは無かった。
【特許文献２】特開２００２−１１２８３８号公報（特許請求の範囲、図面）
【発明の開示】
【発明が解決しようとする課題】
【０００６】
この発明では、従来にない優れた意匠を提供するための模様付けローラと意匠の形成方法を提供するものである。
【０００７】
従来において、ローラ表面の全ての凹凸を塗材に馴染ませるものにあっては、ローラ表面の凹凸の形跡を示すものの、塗材の粘性により凹凸の形状をそのまま転写することは困難となったり、また、転写することができたとしても、模様作製途中に徐々に離型性が確保できなくなり模様の連続性が確保できないという課題があった。
【０００８】
ローラ表面の一部だけを転写するものにあっても、ローラと塗材の離型性の観点から、転写模様は単純な形状を選択しなければ実用上の実施が不可能であると言う課題があった。そして、特許文献２に開示される発明では、吹き付けあるいはローラ塗り、鏝により塗り付けられた塗材表面に形成される模様は、ローラの転動方向における平行線あるいは転動方向とは直角な平行線であった。
【課題を解決するための手段】
【０００９】
この発明では、新規ローラとそのローラを利用した模様の形成方法を提供するものである。ローラにあっては、ローラ表面の模様を転写するものにある。
【００１０】
請求項１に記載の発明は、円柱状基面とこの基面表面の紐巻き層からなることを要旨としている。
【００１１】
請求項２に記載の発明は、請求項１に記載の発明において、円柱状基面とこの基面表面に密実に巻き付けた密紐巻き層、及びまばらに巻いた粗紐巻き層からなることを要旨としている。
【００１２】
請求項３に記載の発明は、請求項１又は請求項２に記載の発明において、紐巻き層に利用される紐が耐水性、耐油性を有することを要旨としている。
【００１３】
請求項４に記載の発明は、請求項２ないし請求項３のいずれかの項に記載の発明において、密紐巻き層の素材と粗紐巻き層の素材が異なることを要旨としている。
【００１４】
請求項５に記載の発明は、請求項１ないし請求項４のいずれかの項に記載の発明において、紐の端部にこぶを作り円柱状基面に設けた溝に固定したことを要旨としている。
【００１５】
請求項６に記載の発明は、請求項１ないし請求項４のいずれかの項に記載の発明において、紐巻き層において紐の両端を紐巻き層の表面側にて結び合わせ固定したものであることを要旨としている。
【００１６】
請求項７に記載の発明は、請求項１ないし請求項６のいずれかの項に記載の発明において、円柱状基面表面を多孔質材料により形成したことを要旨としている。
【００１７】
請求項８に記載の発明は、ローラを利用する発明であり、被塗付面に対し、請求項１ないし請求項７のいずれかの項に記載の模様付けローラにおける粗紐巻き層の紐の径１／４以上となる塗材を塗り付け、前記模様付けローラを用いて表面を押さえ、紐巻きによる縄文を形成することを要旨としている。
【００１８】
請求項９に記載の発明は、請求項７に記載の発明において、表面を押さえるに際し、模様付けローラ表面に離型性を向上させる液体を浸して使用することを要旨としている。
【発明の効果】
【００１９】
請求項１に記載の発明によれば、被塗装面に対して、紐の押しつけ模様となる縄文を簡単に形成することができる。
【００２０】
請求項２に記載の発明によれば、請求項１に記載の発明の効果に加え、紐の押しつけ模様を、塗材の塗り付け厚みにより、厚みが薄い場合は粗紐巻き層だけであり、厚みが粗紐巻き層に利用した紐の径以上の場合は、粗紐巻き層および密紐巻き層の両者の押しつけ模様となるものを形成することができる。
【００２１】
請求項３に記載の発明によれば、請求項１又は請求項２に記載の発明の効果に加え、模様付けローラの耐久性を向上させたものとすることができる。
【００２２】
請求項４に記載の発明によれば、請求項２ないし請求項３のいずれかに記載の発明の効果に加え、粗紐巻き層あるいは密紐巻き層のいずれかを強調した押しつけ模様を形成できることとなる。紐の径が異なれば得られる押しつけ模様が変化のあるものとなり、紐の径の大きな部分が強調される。紐の耐水性、耐油性が異なるものであれば軟化の程度の大きな部分が模様として不鮮明となり、軟化の程度の小さい部分が模様として明瞭に表れるものとなる。
【００２３】
請求項５に記載の発明によれば、請求項１ないし請求項４のいずれかに記載の発明の効果に加え、紐巻き層に利用した紐の固定を確実なものとし、ローラの連続使用を可能とし、模様の安定したものを長時間に亘り得ることができる。ローラの模様付け面の幅方向に横断する紐を持たなくて済むので、得られる模様としてローラの回転方向のみに紐による押しつけ線が表れる。
【００２４】
請求項６に記載の発明によれば、請求項１ないし請求項４のいずれかに記載の発明の効果に加え、紐巻き層に利用した紐の固定を確実なものとし、ローラの連続使用を可能とし、模様の安定したものを長時間に亘り得ることができる。ローラの模様付け面の幅方向に横断する紐を持つことになるので、得られる模様としてローラの回転方向への縦筋とローラ一回転につき一本の横筋が表れる。
【００２５】
請求項７に記載の発明によれば、請求項１ないし請求項６のいずれかに記載の発明の効果に加え、紐巻きによる押しつけ模様の発現が容易となる。また、紐巻きを粗に巻いただけのものであっても、紐の押しつけによる模様と多孔質材料による微小凹凸模様の両者がローラを一度転がすだけで形成できる。
【００２６】
請求項８に記載の発明によれば、請求項１ないし請求項７のいずれかに記載の発明のローラを使用して、被塗装面に紐巻きによる縄文を形成することができる。
また、ローラ表面に設けられた紐巻きの層の数と塗材の塗り厚みより、外層にある紐巻きの模様だけとしたり、下層の紐巻き層の両者の模様としたりすることができる。そして、紐が耐水性、耐油性を有するものであるときには、安定した模様を持続して形成することができる。ローラを構成する粗紐巻き層と密紐巻き層の素材が異なる場合、紐の径が異なれば得られる押しつけ模様が変化のあるものとなり、紐の径の大きな部分が強調される。紐の耐水性、耐油性が異なるものであれば軟化の程度の大きな部分が模様として不鮮明となり、軟化の程度の小さい部分が模様として明瞭に表れるものとなる。円柱状基面表面を多孔質材料により形成したローラを用いた場合は、紐巻きによる押しつけ模様の発現が容易となる。また、紐巻きを粗に巻いただけのものであっても、紐の押しつけによる模様と多孔質材料による微小凹凸模様の両者がローラを一度転がすだけで形成できる。
【００２７】
請求項９に記載の発明によれば、請求項８に記載の発明の効果に加え、押しつけ模様の形成をより大きな面積にて持続して形成できるようになる。
【発明を実施するための最良の形態】
【００２８】
以下、この発明を具体化した実施形態を説明する。
この発明では、新規な意匠形成を可能とするローラを提供するものである。ローラの利用に当たっては、前もって模様形成の為の塗材を被塗装面である建築物の外壁、内壁、天井、床面等あるいはこれら表面を構成する建築材料、土木構造物の表面に対して模様形成用の塗材を吹き付け、ローラ塗り、コテ塗りにより塗り付ける。
【００２９】
その後に、この発明のローラに水、塗料用シンナー等の離型性を向上させる液体である離型剤に浸して、塗材が未硬化の状態において表面を転動させ、ローラによる押しつけ模様が生じる部分と押しつけの無い部分を形成させる。離型剤を用いない場合、小面積であれば押しつけ模様の形成が可能ではあるが、纏まった面積の押しつけは不可能であり、通常は離型剤を溜めたバケットに何度もローラを浸して、押しつけ作業が行われる。
【００３０】
この発明のローラでは、概略円柱状の模様形成面を持つものである。模様形成面は、円柱状基面と基面表面に紐巻き層を有したものとなっている。また、ローラを回転可能とするため、ローラの支持軸に直接装着できる略円柱形状とするもの、あるいは、ローラを薄肉のパイプ形状とし、筒状のローラカバーとしてローラを支持できる柄に装着するもの、そのどちらであっても良い。そして、全体を中空とした場合、あるいは発泡体により作製した時には、ローラ全体を軽量なものとすることができる。但し、支持軸に接する部分あるいは筒状のローラカバーがその支持部分と接する部分は形状が保持できることが必要であり、ローラを転がす時の軸に接する部分では、耐摩耗性を有することが必要である。
【００３１】
ローラの形状を概略円柱状と見たとき、手動利器として利用する場合には、その大きさを、模様形成幅となる円柱の長さを５〜４０ｃｍ、好ましくは２０〜３０ｃｍ、円柱の外径では直径２〜１０ｃｍ、好ましくは４〜８ｃｍとするのが良い。この大きさにあるとき、ローラの大きさあるいは重さにおいて、使用勝手が良いものとなる。但し、コーナーあるいは模様形成幅が限られる部分では、小さくしたものも利用される。工業的に利用する場合には、模様形成幅を６０〜１５０ｃｍ、外径２０〜４０ｃｍの大きさに製作して利用するのが良い。
【００３２】
ローラの円柱状基面の素材としては、プラスチック、ゴム、あるいはそれらの発泡体、木を単独にて、あるいは、これらを組み合わせて利用することができる。ローラの基面製作は、円筒状の素材を研削加工により所定形状としたり、ローラの模型を作製後、プラスチック、ゴムの発泡成形あるいは鋳込み成形により円柱状基面の製作を行うことができる。但し、紐巻き層の紐の固定を、基面に設けた溝への留め付けの場合には有る程度強度の有る材料を選択することが必要となる。
【００３３】
ローラの基面表面に巻き付けられる紐の素材は、防水加工のある紙、天然繊維、合成繊維からなる撚り紐、合成樹脂テープによる撚り紐、ゴム紐の他、加工性能は悪いが金属製の針金、撚り線であっても良い。入手の容易さ、原料単価、耐水性、耐溶剤性、加工の容易さからは、合成樹脂製のテープを撚り併せたものが好ましい。合成樹脂の種類としては、ポリエチレン、ポリプロピレン、ポリエチレンテレフタレート、ポリブチレンテレフタレート、ナイロンなどがある。
【００３４】
紐の太さは、模様として表れる線の太さを基に選択されるが、直径が２〜１０ｍｍにあるもの、好ましくは３〜６ｍｍにあるものを利用するのが好ましい。２ｍｍより細い紐では模様として表れる紐の幅、深さが小さなものとなり、模様付けしたことが分かり辛いものとなる。逆に、１０ｍｍを越える太さの紐を用いた時には、紐の押しつけにより表れる線の幅、深さが大きなものとなり、紐の押しつけの無い部分との比較において、紐の押しつけ模様が強調され過ぎる嫌いがある。但し、平坦に塗材を塗り付けた上から、紐の押しつけ模様だけで最終の仕上げ模様とする際には、１０ｍｍを越える太さであっても、採用の可能性が有る。紐の太さを３〜６ｍｍにあるものを選択したときには、模様形成を行うことにより得られる仕上げ面は、模様形成用塗材を塗り付けた時／吹き付けた時の、表面模様とローラを押しつけた部分の模様の両者がバランス良く現れるものとなる。
【００３５】
紐の固定は、接着剤による固定、ローラの円柱状基面に溝を作製して紐の結び目を溝に挟み込むもの、紐の両端をローラ表面にて結び併せる方法、ローラの円柱状基面も紐も金属であれば溶接による方法も採用可能となる。
【実施例】
【００３６】
以下、前記実施形態を具体化した実施例について説明する。
（実施例１）
実施例１では、塩化ビニル製の内径３８ｍｍ、肉厚２ｍｍ、長さ２３ｃｍのパイプを用意し、その両端には幅３ｍｍ、長さ１２ｍｍの切り欠き溝を一カ所ずつ形成した。次に、ポリエチレン製の５ｍｍ径の紐を用意し、一端を前記溝部に挟み込む形にして仮固定し、パイプ表面に紐の重なりが生じないように、且つ、紐と紐の隙間をなるべく作らないように巻き付け、先の一端と結び併せて固定し、密紐巻き層とした。その次に、ポリプロピレン製の５ｍｍ径の紐を用意し、一端に結び目を作って溝部に固定し、この紐についてはローラの模様形成幅方向に５ｃｍに一回程度巻き付け、時には巻きを戻る形にして８回転ほど巻き付け、紐の一端は巻き付けてある紐の途中に結び付け固定し、粗紐巻き層とした。
【００３７】
図１では、実施例の模様付けローラの外観斜視図を示している。図中、符号１が円柱状基面、符号２が密紐巻き層、符号３が粗紐巻き層、符号４が円柱状基面に設けた紐固定用の溝である。
【００３８】
製作後のローラは、以下の手順により利用した。始めに、塗装用基板として、ＰＤＦ板を用意し、下塗りとして水性の合成樹脂エマルションをスプレー塗装した。次に、模様形成用塗材である菊水化学工業（株）製の商品名グラナダ、２０ｋｇＮＥＴをそのまま、塗装用基板に対し、平米当たり１ｋｇ程度多孔質ローラであるマスチックローラにより塗り付けた。この塗材を塗り付けた厚みは、厚い部分と薄い部分があるが、厚い部分で２ｍｍであった。次に、塗材が未硬化なうちに、上記製作したローラに柄を装着したものを利用し、塗料用シンナーを適宜浸しながら塗材表面を横方向に転動させローラの表面凹凸模様を転写させた。
【００３９】
仕上げ模様として、マスチックローラによるスチップル模様の表面に本願のローラによる不連続な曲線模様が転写された模様が得られた。スチップル模様だけでは得られない、変化のあるものとなった。
【００４０】
（実施例２）
実施例２では、ローラの製作において、実施例１と密紐巻き層を作製するまでは同じとし、粗紐巻き層の形成については一部仕様を変更した。粗紐巻き層では、ポリプロピレン製の５ｍｍ径の紐を用意し、一端に結び目を作って溝部に固定し、ローラの模様形成幅方向に５ｃｍに１０回程度巻き付け、時には巻きを戻る形にし、所々に２回転あるいは３回転は比較的密に巻いた部分のある紐巻きとした。この粗紐巻き層では、合計４０回転ほどの巻き付けとし、このローラでも最初に固定した一端以外のもう一端は、巻き付けてある紐の一部に結び付けて固定した。
【００４１】
製作後のローラは、以下の手順により利用した。始めに、塗装用基板として、ＰＤＦ板を用意し、下塗りとして水性の合成樹脂エマルションをスプレー塗装した。次に、模様形成用塗材である菊水化学工業（株）製の商品名グラナダ、２０ｋｇに寒水砂１厘を１０ｋｇ加え、調整水によりリシンガン（エアースプレーガンの一種、ノズル口径６．５ｍｍ）で塗装可能な粘度とし、塗装用基板に対し、平米当たり１ｋｇ程度吹き付けた。この塗材を塗り付けた厚みは、厚い部分と薄い部分があるが、厚い部分で１．５ｍｍであった。次に、塗材が未硬化なうちに、上記製作したローラに柄を装着したものを利用し、塗料用シンナーを適宜浸しながら塗材表面を横方向に転動させローラの表面凹凸模様を転写させた。
【００４２】
仕上げ模様として、リシンガンによる聚楽壁模様の表面に本願のローラによる不連続な曲線模様が転写された模様が得られた。聚楽壁模様だけでは得られない、水平方向に曲線による変化のあるものとなった。
【００４３】
（実施例３）
実施例３では、まず、長さ２３ｃｍ、内径３８ｍｍのパイプ表面に、肉厚２ｃｍのゴムスポンジからなる多孔質層を有する多孔質ローラを用意した。ローラの両端には幅３ｍｍ、長さ１２ｍｍの切り欠き溝を一カ所ずつ形成した。次に、ポリプロピレン製の５ｍｍ径の紐を用意し、一端に結び目を作って溝部に固定し、この紐についてはローラの模様形成幅方向に５ｃｍに一回程度巻き付け、時には巻きを戻る形にして８回転ほど巻き付け、紐の一端は巻き付けてある紐の途中に結び付け固定し、粗紐巻き層とした。
【００４４】
製作後のローラは、以下の手順により利用した。始めに、塗装用基板として、ＰＤＦ板を用意し、下塗りとして水性の合成樹脂エマルションをスプレー塗装した。次に、模様形成用塗材である菊水化学工業（株）製の商品名グラナダ、２０ｋｇＮＥＴをそのまま、塗装用基板に対し、平米当たり１ｋｇ程度多孔質ローラであるマスチックローラにより塗り付けた。この塗材を塗り付けた厚みは、厚い部分と薄い部分があるが、厚い部分で２ｍｍであった。次に、塗材が未硬化なうちに、上記製作したローラに柄を装着したものを利用し、塗料用シンナーを適宜浸しながら塗材表面を横方向に転動させローラの表面凹凸模様を転写させた。
【００４５】
仕上げ模様として、マスチックローラによるスチップル模様の表面を本願のローラによって、紐で押さえた部分には不連続な曲線模様が転写された模様、多孔質材料からなる円柱状基面を押さえた部分では、スチップル模様を細かくした模様が得られた。スチップル模様だけでは得られない、変化のあるものとなった。
【００４６】
次に、前記実施形態から把握できる技術的思想について以下に記載する。
・紐巻き層に用いる紐の径を３〜５ｍｍとする請求項１ないし請求項７のいずれかに記載の模様付けローラ。この構成を有するローラを用いて模様形成を行うことにより得られる仕上げ面は、模様形成用塗材を塗りつけた時の表面模様とローラを押しつけた部分の模様の両者がバランス良く現れるものとなる。このバランスは、人が手に持って作業を行う塗装機器を用いた場合に得られる、模様形成用塗材の塗りつけと押さえであり、機械を利用して大柄の模様が先の塗りつけに得られるようになれば、紐の大きな径のものも好適なものとなりうる。
【００４７】
・密紐巻き層の素材をポリエチレンと粗紐巻き層の素材をポリプロピレンとすることを特徴とする、請求項１ないし請求項７のいずれかに記載の模様付けローラ。即ち、離型性向上の液体に紐を浸したときに、その軟化の程度が小さいものを粗紐巻き層に用いることを特徴としたときには、密紐巻き層が緩衝層となるため、形成される押しつけ模様の輪郭が明瞭に表れやすいものとなる効果がある。これは、円柱状基面の表面層をプラスチックあるいはゴムの発泡体などの、多孔質材料にして緩衝層にすることと同じ効果を生じる。
【００４８】
・模様形成用塗材の塗りつけあるいは吹き付けにより得られる模様に方向性が無いことを特徴とする請求項８または請求項９記載の模様の形成方法。実施例１ないし実施例３の模様形成用塗材の塗装では、スタッコガン、リシンガン、マスチックローラを用い、これらの塗装器具により得られる仕上げ面には、方向性を感じさせないものとなる。模様に方向性のない塗材塗り付け面に対して、本願の模様形成方法を採用することにより、従来にない変化のある模様を得られることになる。
【図面の簡単な説明】
【００４９】
【図１】この発明の実施例によるローラの外観斜視図を示している。
【符号の説明】
【００５０】
１…円柱状基面
２…密紐巻き層
３…粗紐巻き層
４…溝
【図１】
2008119581.tif 000003